(57)【要約】【課題】車椅子対応時に車椅子で側方へ移動し易くさせることが可能なキャビネットを提供する。【解決手段】側方へ並べることが可能なキャビネット１０は、前分割体２０、後分割体４０、及び、該前分割体２０の前面開口２０ｏを開閉する扉６０を備える。前分割体２０は、第一の底板２１、及び、第一の側板２２を有している。後分割体４０は、第一の底板２１の後方にある第二の底板４１、第一の側板２２に合わせられた切欠部４２ｃが形成されて第一の側板２２の後ろから上にかけて位置する第二の側板４２、及び、前分割体２０の上方に位置する前面部４４を有し、前分割体２０の背後から上にかけて位置している。本キャビネット１０は、前分割体２０が後分割体４０に対して取り外し可能に取り付けられ、前分割体２０が取り外された後分割体４０が立った状態になる。【選択図】図６
2020065689.tif 000002
【特許請求の範囲】
【請求項１】
側方へ並べることが可能なキャビネットであって、
第一の底板、及び、第一の側板を有する前分割体と、
前記第一の底板の後方にある第二の底板、前記第一の側板に合わせられた切欠部が形成されて前記第一の側板の後ろから上にかけて位置する第二の側板、及び、前記前分割体の上方に位置する前面部を有し、前記前分割体の背後から上にかけて位置する後分割体と、
前記前分割体の前面開口を開閉する扉と、を備え、
前記前分割体が前記後分割体に対して取り外し可能に取り付けられ、
前記前分割体が取り外された前記後分割体が立った状態になる、キャビネット。
【請求項２】
前記前分割体は、前記扉が取り外し可能に取り付けられた第一の扉取付部を有し、
前記後分割体は、前記第一の扉取付部から取り外された前記扉が取り外し可能に取り付けられる第二の扉取付部を有し、
前記前分割体が取り外された前記後分割体の前面開口を前記第二の扉取付部に取り付けられた前記扉が開閉する、請求項１に記載のキャビネット。
【請求項３】
前記前分割体は、下部に当該前分割体の高さを調整可能な第一の高さ調整手段を有し、
前記後分割体は、下部に当該後分割体の高さを調整可能な第二の高さ調整手段を有する、請求項１又は請求項２に記載のキャビネット。
【請求項４】
前記キャビネットは、別のキャビネットと併せた設置場所のコーナー部に配置されるコーナーキャビネットである、請求項１〜請求項３のいずれか一項に記載のキャビネット。
【請求項５】
前記前分割体は、前記扉が取り外し可能に取り付けられた第一の扉取付部を有し、
前記後分割体は、前記第一の扉取付部から取り外された前記扉が取り外し可能に取り付けられる第二の扉取付部を有し、
前記前分割体が取り外された前記後分割体の前面開口の一部を前記第二の扉取付部に取り付けられた前記扉が開閉し、
前記コーナーキャビネットは、前記前分割体が取り外された前記後分割体の前面開口のうち前記扉により閉じることができない部分を開閉する第二の扉、又は、前記部分を閉じるコーナーフィラーをさらに備える、請求項４に記載のキャビネット。
【発明の詳細な説明】
【技術分野】
【０００１】
本発明は、ユーザーのニーズに応じてニースペースを有する車椅子対応に組み替え可能なキャビネットに関する。
【背景技術】
【０００２】
例えば、システムキッチンは、ワークトップとも呼ばれるカウンターの下方において、側方へ複数並べられたキャビネットを有している。特許文献１に開示された構造は、ワークトップの下方両側に位置するキャビネットと、シンクの前方を化粧するシンク用幕板と、シンクの下側に位置して取外し自在とされたキャビネットと、背板とが組み合わされている。この状態からシンクの下側に位置するキャビネットを取り外すと、その部分に車椅子が入り込めるニースペースが形成される。シンクの両側に位置するキャビネットのシンク側の側面は、車椅子対応時に違和感が生じないように、側板と化粧パネルとの二重構造とされている。
【先行技術文献】
【特許文献】
【０００３】
【特許文献１】特開平９−１３５７３４号公報
【発明の概要】
【発明が解決しようとする課題】
【０００４】
上述した技術は、車椅子対応時にシンクの下側の収納スペースが無くなってしまう。また、上述した技術は、ニースペースの側方に両側のキャビネットの側板が存在するため、車椅子を使用するユーザーは側板を避けて移動する必要があり、使い勝手が良くない。
尚、上述のような問題は、洗面化粧台等、システムキッチン以外にも存在する。
【０００５】
本発明は、車椅子対応時に車椅子で側方へ移動し易くさせる技術を開示するものである。
【課題を解決するための手段】
【０００６】
本発明は、側方へ並べることが可能なキャビネットであって、
第一の底板、及び、第一の側板を有する前分割体と、
前記第一の底板の後方にある第二の底板、前記第一の側板に合わせられた切欠部が形成されて前記第一の側板の後ろから上にかけて位置する第二の側板、及び、前記前分割体の上方に位置する前面部を有し、前記前分割体の背後から上にかけて位置する後分割体と、
前記前分割体の前面開口を開閉する扉と、を備え、
前記前分割体が前記後分割体に対して取り外し可能に取り付けられ、
前記前分割体が取り外された前記後分割体が立った状態になる、態様を有する。
【発明の効果】
【０００７】
本発明によれば、車椅子対応時に車椅子で側方へ移動し易くさせる技術を提供することができる。
【図面の簡単な説明】
【０００８】
【図１】キャビネット群を有するシステムキッチンの例を模式的に示す正面図。
【図２】キャビネット群の例を模式的に示す斜視図。
【図３】図１のＡ１の位置におけるキャビネットの垂直断面の例を模式的に示す断面図。
【図４】扉が取り付けられた前分割体の背面側の例を模式的に示す斜視図。
【図５】後分割体から前分割体を取り外し、前分割体から取り外した扉を、後分割体に取り付けたキャビネットの垂直断面の例を模式的に示す断面図。
【図６】ニースペースを有するキャビネット群の例を模式的に示す斜視図。
【図７】高さ調整手段としてのアジャスターの例を模式的に示す図。
【図８】高さ調整手段としての蹴込み板の例を模式的に示す図。
【図９】コーナーキャビネットを有するキャビネット群の例を模式的に示す平面図。
【図１０】（ａ）は車椅子対応時に第二の扉を後分割体に取り付けた例を模式的に示す平面図、（ｂ）は車椅子対応時にコーナーフィラーを後分割体に取り付けた例を模式的に示す平面図。
【図１１】コーナーキャビネットの例を模式的に示す斜視図。
【図１２】後分割体から前分割体を取り外したコーナーキャビネットの例を模式的に示す斜視図。
【発明を実施するための形態】
【０００９】
以下、本発明の実施形態を説明する。むろん、以下の実施形態は本発明を例示するものに過ぎず、実施形態に示す特徴の全てが発明の解決手段に必須になるとは限らない。
【００１０】
（１）本発明に含まれる技術の概要：
まず、図１〜１２に示される例を参照して本発明に含まれる技術の概要を説明する。尚、本願の図は模式的に例を示す図であり、これらの図に示される各方向の拡大率は異なることがあり、各図は整合していないことがある。むろん、本技術の各要素は、符号で示される具体例に限定されない。
【００１１】
［態様１］
本技術の一態様に係るキャビネット１０は、側方へ並べることが可能なキャビネット１０であって、前分割体２０、後分割体４０、及び、該前分割体２０の前面開口２０ｏを開閉する扉６０を備える。前記前分割体２０は、第一の底板２１、及び、第一の側板２２を有している。前記後分割体４０は、前記第一の底板２１の後方にある第二の底板４１、前記第一の側板２２に合わせられた切欠部４２ｃが形成されて前記第一の側板２２の後ろから上にかけて位置する第二の側板４２、及び、前記前分割体２０の上方に位置する前面部４４を有し、前記前分割体２０の背後から上にかけて位置している。本キャビネット１０は、前記前分割体２０が前記後分割体４０に対して取り外し可能に取り付けられ、前記前分割体２０が取り外された前記後分割体４０が立った状態になる。
【００１２】
上記態様１では、後分割体４０から前分割体２０を取り外しても、後分割体４０は立った状態であるので、後分割体４０をキャビネット１０Ａ（図５，６参照）として使用することができる。後分割体４０から前分割体２０を取り外すと、前分割体２０の第一の底板２１が無くなり、後分割体４０の第二の側板４２において前分割体２０の第一の側板２２に合わせられた切欠部４２ｃが開放される。これにより、足元から側方まで連続したニースペースＳＰ１が出現し、複数のキャビネット１０を並べる場合に隣接するキャビネットへ車椅子でスムーズに移動することができる。従って、本態様は、車椅子対応時に車椅子で側方へ移動し易くさせるキャビネットを提供することができる。
【００１３】
ここで、後分割体が立った状態になるとは、支えるものがなくても後分割体が立った状態になることに加えて、建物の壁や床、背後に配置される別のキャビネット、側方へ並べられる別の後分割体に固定されることにより後分割体が立った状態になることが含まれる。
キャビネットが並べられる側方とは、キャビネットの前から見て左右の方向を意味する。
尚、上述した付言は、以下の態様においても適用される。
【００１４】
［態様２］
図３等に例示するように、前記前分割体２０は、前記扉６０が取り外し可能に取り付けられた第一の扉取付部（例えば座金２８）を有していてもよい。前記後分割体４０は、前記第一の扉取付部（２８）から取り外された前記扉６０が取り外し可能に取り付けられる第二の扉取付部（例えば座金４８）を有していてもよい。図５等に例示するように、本キャビネット１０は、前記前分割体２０が取り外された前記後分割体４０の前面開口４０ｏを前記第二の扉取付部（４８）に取り付けられた前記扉６０が開閉してもよい。本態様は、前分割体２０に取り付けられていた扉６０を前分割体２０が取り外された後分割体４０に取り付けることができるので、車椅子対応時に後分割体専用の扉を不要にすることができる。
【００１５】
［態様３］
図３等に例示するように、前記前分割体２０は、下部に当該前分割体２０の高さを調整可能な第一の高さ調整手段３０を有していてもよい。前記後分割体４０は、下部に当該後分割体４０の高さを調整可能な第二の高さ調整手段５０を有していてもよい。本態様によると、後分割体４０に前分割体２０を取り付けた状態での高さと、後分割体４０から前分割体２０を取り外した状態での高さとを変えることができる。これにより、車椅子対応時にカウンターや洗面ボウル等の高さを容易に変更することができる。
【００１６】
［態様４］
図９〜１２に例示するように、本キャビネット１０は、別のキャビネットと併せた設置場所のコーナー部Ｃ１に配置されるコーナーキャビネット１４でもよい。この態様によると、設置場所のコーナー部Ｃ１にあるコーナーキャビネット１４にも足元から側方まで連続したニースペースＳＰ１が出現し、隣接するキャビネットへスムーズに移動することができる。従って、本態様は、車椅子対応時に車椅子で側方へ移動し易くさせるコーナーキャビネットを提供することができる。
【００１７】
［態様５］
本キャビネット１０がコーナーキャビネット１４である場合も、前記前分割体２０は、前記扉６０が取り外し可能に取り付けられた第一の扉取付部（例えば座金２８）を有していてもよい。前記後分割体４０は、前記第一の扉取付部（２８）から取り外された前記扉６０が取り外し可能に取り付けられる第二の扉取付部（例えば座金４８）を有していてもよい。本コーナーキャビネット１４は、前記前分割体２０が取り外された前記後分割体４０の前面開口４０ｏの一部を前記第二の扉取付部（４８）に取り付けられた前記扉６０が開閉してもよい。図１０（ａ），（ｂ）に例示するように、本コーナーキャビネット１４は、前記前分割体２０が取り外された前記後分割体４０の前面開口４０ｏのうち前記扉６０により閉じることができない部分（例えば前面開口コーナー部４０ｐ）を開閉する第二の扉６２、又は、前記部分（４０ｐ）を閉じるコーナーフィラーＦ２をさらに備えていてもよい。本態様は、コーナーキャビネット１４において前分割体２０に取り付けられていた扉６０を前分割体２０が取り外された後分割体４０に取り付けたときにできる部分（４０ｐ）を第二の扉６２により開閉したりコーナーフィラーＦ２により閉じたりすることができるので、車椅子対応時に通常時よりも大きな後分割体専用の扉を不要にし、外観上の体裁を良好に維持できるコーナーキャビネットを提供することができる。
【００１８】
さらに、本技術は、上述したキャビネットを複数組み込んだシステムキッチンや洗面化粧台等に適用可能である。
【００１９】
（２）キャビネット群を有するシステムキッチンの具体例：
図１は、キャビネット群１１０を有するシステムキッチン１００の正面を模式的に例示している。図２は、カウンター１０１の下にあるキャビネット群１１０を斜視図により模式的に例示している。図２では、キャビネット群１１０に含まれるキャビネット１１の蹴込み板３５，５５を透視してアジャスター３１，５１を示している。また、キャビネット群１１０に含まれるキャビネット１２，１３はキャビネット１１と同じ構造であるので、図２ではキャビネット１１のみ詳細に符号を付している。キャビネット１０は、キャビネット１１，１２，１３を総称している。符号Ｄ１は、キャビネット１０の並び方向を示している。
尚、以下の説明において、「上方」や「下方」や「前方」や「後方」や「側方」といった方向は、厳密に定義される方向に限定されず、誤差等により厳密な方向からずれる場合を含む。ここで、「側方」は、左方向と右方向を総称する概念である。「水平」や「鉛直」は、厳密な「水平」や「鉛直」に限定されず、形状や誤差等により厳密な「水平」や「鉛直」からずれる場合を含む。また、「面一」は、厳密な「面一」に限定されず、形状や誤差等により僅かな段差が生じる場合を含む。
【００２０】
システムキッチン１００には、水平に配置されたカウンター１０１に凹状のシンク１０２や調理器具（不図示）や複数のキャビネット１０等が組み込まれている。複数のキャビネット１０は、側方へ並べられている。図２に示す各キャビネット１０の上面開口４０ｃは、全キャビネット１１，１２，１３に跨がったカウンター１０１により閉塞している。図１に示すように、各キャビネット１０の正面には、カウンター１０１から床に向かうにつれて順に、化粧パネル４４ａ、両開きの開き戸である一対の扉６０、及び、蹴込み板３５が配置されている。
【００２１】
図１，２に示すキャビネット群１１０は、システムキッチン１００において車椅子を使用しない通常時を想定した構造を有している。各キャビネット１０は、前分割体２０、後分割体４０、及び、一対の扉６０を有している。前分割体２０は、後分割体４０から取り外すことが可能である。詳細は後述するが、後分割体４０から前分割体２０を取り外すと、車椅子を使用する車椅子対応時のニースペースＳＰ１（図５，６参照）が形成される。
尚、キャビネットを前後に分割しない場合において、側板や背板を残してキャビネットから扉や底板等を取り外してニースペースを形成しても、キャビネットの内部が隠蔽されないため、キャビネットの意匠性が損なわれる。本具体例では、車椅子対応時でも後分割体４０の内部が扉６０により隠蔽されるので、キャビネットの意匠性が良好である。
【００２２】
（３）前分割体と後分割体を含むキャビネットの具体例：
図３は、図１のＡ１の位置におけるキャビネット１０の垂直断面を模式的に例示している。図４は、前分割体２０の背面側を斜視図により模式的に例示している。図５は、後分割体４０から前分割体２０を取り外し、前分割体２０から取り外した扉６０を、後分割体４０に取り付けたキャビネット１０Ａの垂直断面を模式的に例示している。図６は、ニースペースＳＰ１を有するキャビネット群１１０を斜視図により模式的に例示している。図６では、キャビネット群１１０において最も左側にある後分割体４０の蹴込み板５５を透視してアジャスター５１を示している。
以下、キャビネット１０の各要素を説明する。
【００２３】
図２〜４に示すように、前分割体２０は、平板状の第一の底板２１、平板状である左右の第一の側板２２Ｌ，２２Ｒ、平板状の天井板２５、平板状の垂下板２６、４箇所の座金２８（第一の扉取付部の例）、４本のアジャスター３１、及び、蹴込み板３５を有している。第一の側板２２は、左右の第一の側板２２Ｌ，２２Ｒを総称している。アジャスター３１及び蹴込み板３５は、第一の高さ調整手段３０の例である。前分割体２０は、４本のアジャスター３１により自立する。ここで、自立とは、支えるものがなくても立った状態であることを意味する。
【００２４】
第一の底板２１は、図３に示すように、後分割体４０の第二の底板４１の前方にあり、第二の底板４１とともに水平に配置され、キャビネット１０内の収納空間ＳＰ０の床部を形成している。第一の底板２１の上面と第二の底板４１の上面とは、面一となるように設計されている。第一の底板２１の下面には、４本のアジャスター３１、及び、蹴込み板３５が取り付けられている。
第一の側板２２Ｌ，２２Ｒは、図４に示すように、左右から見て第一の底板２１における左右の縁部を隠す状態で鉛直に配置されている。第一の側板２２Ｌ，２２Ｒは、後分割体４０の第二の側板４２Ｌ，４２Ｒとともにキャビネット１０内の収納空間ＳＰ０における左右の壁部を形成している。第一の側板２２Ｌ，２２Ｒの内側面と第二の側板４２Ｌ，４２Ｒの内側面とは、面一となるように設計されている。
【００２５】
天井板２５は、図４に示すように、左右から見て左右の縁部が第一の側板２２Ｌ，２２Ｒに隠される状態で水平に配置されている。前分割体２０の前面には、第一の底板２１と第一の側板２２Ｌ，２２Ｒと天井板２５とで囲まれた前面開口２０ｏ（図３参照）が形成されている。図３に示すように、天井板２５は、後分割体４０の水平板４５の下面に配置された状態でねじＳＣ１又は接合金具により水平板４５に固定される。
垂下板２６は、図３，４に示すように、背後から見て天井板２５の後縁部を隠す状態で前分割体２０の上部から途中まで鉛直に下がっている。前分割体２０の背面には、第一の底板２１と第一の側板２２Ｌ，２２Ｒと垂下板２６とで囲まれた背面開口２０ｂが形成されている。この背面開口２０ｂが後分割体４０の前面開口４０ｏと合わせられることにより、前分割体２０から後分割体４０に連続した収納空間ＳＰ０が形成される。垂下板２６は、前分割体２０を補強する機能を有する。また、垂下板２６は、後分割体４０の垂下板４６の前面に配置された状態でねじＳＣ２又は接合金具により垂下板４６に固定される。
【００２６】
第一の側板２２の内側面には、４箇所に座金２８が取り付けられている。図３には、右側の第一の側板２２Ｒの内側面に対して上下にそれぞれ座金２８が取り付けられていることが示されている。図示していないが、左側の第一の側板２２Ｌの内側面に対しても、上下にそれぞれ座金２８が取り付けられている。各座金２８には、扉６０の蝶番６１が取り外し可能に取り付けられる。
【００２７】
４本のアジャスター３１は、第一の底板２１の下面に対して左右のそれぞれ前後に取り付けられ、第一の底板２１の下面から下方へ突出している。これらのアジャスター３１は、前分割体２０の高さを調整可能である。尚、アジャスター３１は、前分割体２０を立った状態にさせる本数であればよく、３本でもよいし、５本以上でもよい。蹴込み板３５は、４本のアジャスター３１の前において第一の底板２１の下面における前縁部近傍に取り付けられ、第一の底板２１の下面から下方へ延出して、キャビネット１０の下の隙間を隠す。蹴込み板３５は、アジャスター３１の長さに応じて高さを調節可能な構造を有している。
アジャスター３１と蹴込み板３５の詳細は、後述する。
【００２８】
図２，３に示すように、後分割体４０は、平板状の第二の底板４１、切欠部４２ｃのある平板状である左右の第二の側板４２Ｌ，４２Ｒ、平板状の背板４３、平板状の化粧パネル４４ａ、平板状の前板４４ｂ、平板状の水平板４５、平板状の垂下板４６、４箇所の座金４８（第二の扉取付部の例）、４本のアジャスター５１、及び、蹴込み板５５を有している。第二の側板４２は、左右の第二の側板４２Ｌ，４２Ｒを総称している。前面部４４は、化粧パネル４４ａと前板４４ｂを総称している。アジャスター５１及び蹴込み板５５は、第二の高さ調整手段５０の例である。後分割体４０は、上部に前方への延出部４０ａを有する側面視Ｌ字状であり、４本のアジャスター５１により前分割体２０が取り外されても自立する。
【００２９】
第二の底板４１は、図３に示すように、第一の底板２１の後方にあり、第一の底板２１とともに水平に配置され、収納空間ＳＰ０の床部を形成している。第二の底板４１の下面には、４本のアジャスター５１、及び、蹴込み板５５が取り付けられている。
第二の側板４２Ｌ，４２Ｒは、図２，３に示すように、第一の側板２２に合わせられた切欠部４２ｃが形成され、第一の側板２２の後ろから上にかけて位置している。第二の側板４２Ｌ，４２Ｒは、左右から見て第二の底板４１における左右の縁部を隠す状態で鉛直に配置されている。第二の側板４２Ｌ，４２Ｒは、第一の側板２２Ｌ，２２Ｒとともに収納空間ＳＰ０における左右の壁部を形成している。第二の側板４２が建物の壁に隣接している場合、この壁に対して第二の側板４２がねじにより固定されてもよい。また、キャビネット１０の並びの中で、左側のキャビネットにおける第二の側板４２Ｒと右側のキャビネットにおける第二の側板４２Ｌとが互いにねじにより固定されてもよい。
【００３０】
背板４３は、図２，３に示すように、左右から見て左右の縁部が第二の側板４２Ｌ，４２Ｒに隠される状態、且つ、背後から見て第二の底板４１の後縁部を隠す状態で鉛直に配置されている。背板４３の背後に建物の壁がある場合、この壁に対して背板４３がねじにより固定されてもよい。また、背板４３の背後に別のキャビネットが配置される場合、このキャビネットに対して背板４３がねじにより固定されてもよい。
化粧パネル４４ａと前板４４ｂを含む前面部４４は、図２，３に示すように、前分割体２０の上方に位置している。化粧パネル４４ａは、後分割体４０の上部の前面を覆う状態で鉛直に配置され、前板４４ｂの前面に取り付けられている。化粧パネル４４ａの前面の位置は、閉じた扉６０の前面の位置に合わせられている。前板４４ｂは、左右から見て左右の縁部が第二の側板４２Ｌ，４２Ｒに隠される状態で鉛直に配置されている。後分割体４０の上面には、背板４３と第二の側板４２Ｌ，４２Ｒと前板４４ｂとで囲まれた上面開口４０ｃが形成されている。前板４４ｂは、後分割体４０を補強する機能を有する。
【００３１】
図２，３に示すように、後分割体４０の上部に前面部４４があることにより、前分割体２０の背後から上にかけて後分割体４０が位置している。便宜上、後分割体４０の内、前分割体２０の背面から後方にある部分を本体部４０ｂと呼び、前分割体２０の背面から前方にある部分を延出部４０ａと呼ぶことにする。後分割体４０に延出部４０ａがあるのは、以下の理由による。
理由１．カウンター１０１（図１参照）に組み込まれたシンク１０２や調理器具等を後分割体４０の上部に収容してシンク１０２や調理器具等を隠すため。
理由２．後分割体４０に前分割体２０を組み付ける際に前分割体２０を延出部４０ａの下部に固定するため。
理由３．後分割体４０だけでカウンター１０１の手前部分を支えるため。
【００３２】
図２，３に示す水平板４５は、上述した理由２により延出部４０ａの下部に配置されている。水平板４５は、左右から見て左右の縁部が第二の側板４２Ｌ，４２Ｒに隠される状態、且つ、下から見て前板４４ｂの下縁部を隠す状態で水平に配置されている。水平板４５の下面には、前分割体２０の天井板２５がねじＳＣ１又は接合金具により固定される。
垂下板４６は、図３に示すように、左右から見て左右の縁部が第二の側板４２Ｌ，４２Ｒに隠される状態、且つ、背後から見て水平板４５の後縁部を隠す状態で水平板４５から途中まで鉛直に下がっている。延出部４０ａよりも下側における後分割体４０の前面には、第二の底板４１と第二の側板４２Ｌ，４２Ｒと垂下板４６とで囲まれた前面開口４０ｏが形成されている。この前面開口４０ｏが前分割体２０の背面開口２０ｂと合わせられることにより、連続した収納空間ＳＰ０が形成される。垂下板４６は、後分割体４０を補強する機能を有する。垂下板４６の前面には、前分割体２０の垂下板２６がねじＳＣ２又は接合金具により固定される。
【００３３】
延出部４０ａよりも下側における第二の側板４２の内側面には、４箇所に座金４８が取り付けられている。図３には、右側の第二の側板４２Ｒの内側面に対して上下にそれぞれ座金４８が取り付けられていることが示されている。図示していないが、左側の第二の側板４２Ｌの内側面に対しても、上下にそれぞれ座金４８が取り付けられている。各座金４８には、前分割体２０の座金２８から取り外された扉６０の蝶番６１を取り外し可能に取り付けることが可能である。
【００３４】
４本のアジャスター５１は、第二の底板４１の下面に対して左右のそれぞれ前後に取り付けられ、第二の底板４１の下面から下方へ突出している。これらのアジャスター５１は、後分割体４０の高さを調整可能である。尚、アジャスター５１は、後分割体４０を立った状態にさせる本数であればよく、３本でもよいし、５本以上でもよい。蹴込み板５５は、４本のアジャスター５１の前において第二の底板４１の下面における前縁部近傍に取り付けられ、第二の底板４１の下面から下方へ延出して、後分割体４０の下の隙間を隠す。蹴込み板５５は、アジャスター５１の長さに応じて高さを調節可能な構造を有している。
アジャスター５１と蹴込み板５５の詳細は、後述する。
【００３５】
後分割体４０に前分割体２０が取り付けられている場合、図２，３に示すように、前分割体２０の前面に一対の扉６０が配置される。各扉６０の内側面において第一の側板２２側の縁部には、上下にそれぞれ蝶番６１がねじにより取り付けられている。すなわち、各キャビネット１０の左側の内側面において左縁部の上下にそれぞれ蝶番６１が取り付けられ、各キャビネット１０の右側の内側面において右縁部の上下にそれぞれ蝶番６１が取り付けられている。各蝶番６１は、座金２８に対して取り外し可能に取り付けられている。各扉６０は、座金２８に固定された蝶番６１を中心として前側へ回転して開く動作、及び、後側へ回転して閉じる動作が可能である。
以上より、一対の扉６０は、両開きの開き戸として機能し、前分割体２０の前面開口２０ｏを開閉する。
【００３６】
扉６０に取り付けられた蝶番６１は、後分割体４０の第二の側板４２に固定された座金４８に対しても、取り外し可能に取り付けることが可能である。そこで、図３に示すねじＳＣ１，ＳＣ２を外して後分割体４０から前分割体２０を取り外し、座金２８から蝶番６１を外して前分割体２０から２枚の扉６０を取り外すと、後分割体４０の座金４８に蝶番６１を取り付けることにより２枚の扉６０を延出部４０ａよりも下側における後分割体４０の前面に配置することができる。付け替え後の各扉６０は、座金４８に固定された蝶番６１を中心として前側へ回転して開く動作、及び、後側へ回転して閉じる動作が可能である。
以上より、座金４８に取り付けられた扉６０は、前分割体２０が取り外された後分割体４０の前面開口４０ｏを開閉する。
【００３７】
後分割体４０から前分割体２０を取り外し、扉６０を前分割体２０から後分割体４０に付け替えると、車椅子が入り込めるニースペースＳＰ１（図５，６参照）がキャビネット１０Ａに形成される。キャビネット１０Ａは、元のキャビネット１０から前分割体２０を取り外して組み付け直したキャビネットであることを示している。ここで、車椅子対応時のカウンター１０１は、通常時から下げた高さ、例えば、１００ｍｍ程度下げた高さにすることが一般的である。そこで、通常時と車椅子対応時とでカウンター１０１の高さに合わせることができるように、前分割体２０の下部に第一の高さ調整手段３０を設け、後分割体４０の下部に第二の高さ調整手段５０を設けている。
【００３８】
図７は、高さ調整手段３０，５０の例として、底板２１，４１の下面に取り付けられたアジャスター３１，５１を模式的に例示している。一つのキャビネット１０にある４本のアジャスター３１と４本のアジャスター５１は同じ構造であるので、後分割体４０のアジャスター５１に設けられた各要素を説明することにする。
アジャスター５１は、第二の底板４１の下面に取り付けられた雌ねじ部材５２、及び、この雌ねじ部材５２から下方へ突出した雄ねじ部材５３を有している。第二の底板４１から下方へ突出した雌ねじ部材５２には、下部が開口した雌ねじ５２ａが形成されている。雄ねじ部材５３は、雌ねじ５２ａに螺合した雄ねじ５３ａ、及び、床に接する足部５３ｂを有している。
【００３９】
以上より、キャビネットを組み付けたり組み替えたりする作業者は、足部５３ｂを持って雄ねじ部材５３を回すことにより、図７の右側に示すように雌ねじ部材５２から突出した雄ねじ部材５３を短くすることができる。後分割体４０の４本のアジャスター５１について雄ねじ部材５３を短くすると、キャビネット１０が組み込まれたカウンター１０１を低くすることができる。尚、雄ねじ部材５３を回すことにより、図７の左側に示すように雌ねじ部材５２から突出した雄ねじ部材５３を長くすることも可能である。従って、キャビネット１０が組み込まれたカウンター１０１を高くすることも可能である。
【００４０】
図８は、高さ調整手段３０，５０の例として、底板２１，４１の下面に取り付けられた蹴込み板３５，５５を模式的に例示している。前分割体２０の蹴込み板３５と後分割体４０の蹴込み板５５は同じ構造であるので、後分割体４０の蹴込み板５５に設けられた要素を説明することにする。
第二の底板４１の下面から下方へ延出した蹴込み板５５は、水平方向に向いて互いに平行な複数の溝５６を背面に有している。キャビネットを組み付けたり組み替えたりする作業者は、アジャスター５１の長さに合った溝５６の位置で蹴込み板５５を容易に切断することができる。すなわち、蹴込み板５５の複数の溝５６は、高さを調節可能な構造である。
【００４１】
システムキッチン１００を通常時から車椅子対応に切り替える場合、複数の溝５６のうち車椅子対応時のカウンター１０１の高さに合う溝５６ａの位置で蹴込み板５５を切断すると、図８の右側に示すように蹴込み板５５を上下に短くすることができる。アジャスター５１の長さに合わせて蹴込み板５５を上下に短くすると、低くなったカウンター１０１に組み込まれたキャビネット１０の下の隙間が蹴込み板５５により適切に隠され、システムキッチン１００の美観が維持される。
【００４２】
尚、各種板部材（２１，２２，２５，２６，３５，４１，４２，４３，４４ａ，４４ｂ，４５，４６，５５）、及び、扉６０の本体部分の材料には、木材、熱可塑性樹脂といった合成樹脂、等を用いることができる。座金２８，４８、蝶番６１、及び、ねじの材料には、ステンレスといった金属等を用いることができる。
【００４３】
（４）キャビネットの組み付け及び組み替えの具体例：
通常時のシステムキッチン１００を組み立てる場合、例えば、以下のようにすればよい。むろん、組み立て手順は、以下の順番に限定されない。
まず、通常時のカウンター１０１の高さに合わせるため、全アジャスター３１，５１の長さを調整し、アジャスター３１，５１の長さに合わせて蹴込み板３５，５５を切断する。また、後分割体４０と前分割体２０とを一体化するため、後分割体４０の水平板４５と前分割体２０の天井板２５とをねじＳＣ１（図３参照）により固定し、後分割体４０の垂下板４６と前分割体２０の垂下板２６とをねじＳＣ２（図３参照）により固定する。さらに、キャビネット１１，１２，１３の分、両分割体４０，２０をカウンター１０１の下面に組み付け、扉６０に取り付けられた蝶番６１を前分割体２０の座金２８に取り付けると、図１で示したような通常時のシステムキッチン１００が組み立てられる。カウンター１０１に組み込まれたシンク１０２や調理器具等は、上面開口４０ｃから後分割体４０の上部（延出部４０ａと本体部４０ｂ）に収容される。ユーザーは、前分割体２０に取り付けられた扉６０を開けたり閉めたりすることができ、扉６０を開けた状態でキャビネット１０の収納空間ＳＰ０に対して物を出し入れすることができる。
【００４４】
システムキッチン１００を通常時から車椅子対応時に切り替える場合、例えば、以下のようにすればよい。むろん、組み替え手順は、以下の順番に限定されない。
まず、座金２８から蝶番６１を外して前分割体２０から扉６０を取り外し、図３で示したねじＳＣ１，ＳＣ２を外して後分割体４０から前分割体２０を取り外す。また、車椅子対応時のカウンター１０１の高さに合わせるため、残された後分割体４０について、全アジャスター５１の長さを調整し、アジャスター５１の長さに合わせて蹴込み板５５を切断する。この作業は、後分割体４０をカウンターから取り外して行ってもよい。さらに、扉６０の蝶番６１を後分割体４０の座金４８に取り付けると、車椅子対応時のシステムキッチンが組み立てられる。図５には車椅子対応時のシステムキッチンに組み込まれたキャビネット１０Ａの垂直断面が示され、図６には車椅子対応時のシステムキッチンに組み込まれたキャビネット群１１０が示されている。ユーザーは、後分割体４０に取り付けられた扉６０を開けたり閉めたりすることができ、扉６０を開けた状態で後分割体４０の収納空間に対して物を出し入れすることができる。
【００４５】
本具体例の後分割体４０は、前分割体２０が取り外されても自立するので、後分割体４０をキャビネット１０Ａとして使用することができる。各キャビネット１０において後分割体４０から前分割体２０を取り外すと、第二の底板４１の前方にある第一の底板２１が無くなり、後分割体４０の第二の側板４２において前分割体２０の第一の側板２２に合わせられた切欠部４２ｃが開放される。これにより、図６に示すように、複数のキャビネット１０Ａに跨がって足元から側方まで連続したニースペースＳＰ１が出現する。キャビネット１０Ａの足元にニースペースＳＰ１があることにより、ユーザーは、車椅子に座った状態でカウンター１０１に近づいて所望の作業を行うことができる。
ここで、キャビネットの側板に切欠部４２ｃが無ければ、車椅子を使用するユーザーは側板を避けて移動する必要があり、使い勝手が良くない。本具体例では、第二の側板４２の切欠部４２ｃによりニースペースＳＰ１が複数のキャビネットに跨がっているので、ユーザーは、隣接するキャビネットへ車椅子でスムーズに移動することができる。従って、車椅子対応時に車椅子で側方へ移動し易い。
【００４６】
また、通常時に前分割体２０に取り付けられていた扉６０を車椅子対応時に後分割体４０に取り付けることができるので、車椅子対応時に後分割体専用の扉は不要である。
さらに、通常時には高さ調整手段３０，５０により前分割体２０と後分割体４０の高さを調整することができ、車椅子対応時には第二の高さ調整手段５０により後分割体４０の高さを調整することができる。これにより、車椅子対応時にカウンター１０１の高さを容易に変更することができる。
【００４７】
（５）変形例：
本発明は、種々の変形例が考えられる。
例えば、前分割体と後分割体を含むキャビネットは、システムキッチン以外にも、洗面化粧台等に使用可能である。
各キャビネットに設けられる扉は、両開きの開き戸に限定されず、片開きの開き戸といった１枚の扉、折り戸、引き戸、等でもよい。
蹴込み板３５，５５に溝５６が無くても、キャビネットの高さに合わせて蹴込み板３５，５５を切断することができる限り、本技術の基本的な効果が得られる。
上述した実施形態では通常時に蹴込み板５５が後分割体４０に設けられていたが、車椅子対応時に前分割体２０の蹴込み板３５を流用することにより、後分割体４０から通常時用の蹴込み板５５を無くすことも可能である。通常時に蹴込み板５５を使用せず、通常時から車椅子対応時に切り替える時に前分割体２０の第一の底板２１から蹴込み板３５を取り外して後分割体４０の第二の底板４１に蹴込み板３５を取り付けると、キャビネット１０Ａの下の隙間を隠すことができる。むろん、後分割体４０のアジャスター５１の長さに応じて蹴込み板３５の高さを調節すればよい。
上述した実施形態では前分割体２０が自立する構造であったが、前分割体は必ずしも自立する必要はない。
【００４８】
また、Ｌ型システムキッチンのように複数のキャビネットの設置場所がＬ字状である場合、設置場所のコーナー部にコーナーキャビネットが配置される。このコーナーキャビネットも、前分割体と後分割体とに分けることにより、通常時には後分割体に前分割体を取り付けて使用し、車椅子対応時には後分割体から前分割体を取り外して使用することができる。従って、コーナーキャビネットも、本技術のキャビネットに含まれる。
【００４９】
図９は、コーナーキャビネット１４を有するキャビネット群１１０の平面視を簡略化して例示している。図９では、分かり易く示すため、コーナーフィラーＦ１と支柱Ｓ１，Ｓ２と座金２８，４８にハッチングを付し、ニースペースとなる位置に符号（ＳＰ１）を付している。図１０（ａ）は、車椅子対応時に第二の扉６２を後分割体４０に取り付けたコーナーキャビネット１４の要部の平面視を簡略化して例示している。図１０（ｂ）は、車椅子対応時にコーナーフィラーＦ２を後分割体４０に取り付けたコーナーキャビネット１４の要部の平面視を簡略化して例示している。図１１は、通常時のコーナーキャビネット１４を斜視図により模式的に例示している。図１２は、後分割体４０から前分割体２０を取り外した車椅子対応時のコーナーキャビネット１４Ａを斜視図により模式的に例示している。
【００５０】
図９に示すキャビネット群１１０は、Ｌ型システムキッチンに組み込まれたキャビネット１１，１２，１４，１３を有している。これらのキャビネットの設置場所のうちコーナー部Ｃ１には、コーナーキャビネット１４が配置されている。コーナー部Ｃ１は、コーナーキャビネット１４と別のキャビネット１１，１２，１３とを併せた設置場所においてキャビネットの並び方向が変わる部分である。コーナーキャビネット１４から見て左方となる並び方向Ｄ１へは、図２等で示したキャビネット１０と同様のキャビネット１２，１１が順に並べられている。キャビネット１２の後分割体４０の上部には、二点鎖線で示されるシンク１０２が収容されている。コーナーキャビネット１４から見て右方となる並び方向Ｄ２へは、図２等で示したキャビネット１０と同様のキャビネット１３が配置されている。並び方向Ｄ１，Ｄ２は、互いに直交しているが、設置場所に応じて直交しないように交差させる設計も可能である。
コーナー部Ｃ１でキャビネット１０の並び方向が変わることから、コーナーキャビネット１４は、左側と右側とで前後の向きが異なる。
【００５１】
図９のＡ２の位置におけるコーナーキャビネット１４の垂直断面は、支柱Ｓ２があることを除いて図３で示したキャビネット１０の垂直断面と同じである。図９のＡ３の位置におけるコーナーキャビネット１４の垂直断面は、支柱Ｓ１があることを除き、また、左右の符号の付け方を除いて図３で示したキャビネット１０の垂直断面と左右逆の対称である。そこで、図２〜４も参照して、コーナーキャビネット１４を説明する。
【００５２】
コーナーキャビネット１４の前分割体２０は、詳細には示していないが、第一の底板２１、左右の第一の側板２２Ｌ，２２Ｒ、天井板２５、２枚の垂下板２６、４箇所の座金２８、複数本のアジャスター３１、及び、２枚の蹴込み板３５を有している。垂下板２６と蹴込み板３５には、並び方向Ｄ１に沿って配置された部材と、並び方向Ｄ２に沿って配置された部材とがある。左側の第一の側板２２Ｌは、並び方向Ｄ１に直交するように配置されている。右側の第一の側板２２Ｒは、並び方向Ｄ２に直交するように配置されている。天井板２５は、後分割体４０の水平板４５の下面に配置された状態でねじＳＣ１（図３参照）又は接合金具により水平板４５に固定される。垂下板２６は、後分割体４０の垂下板４６の前面に配置された状態でねじＳＣ２（図３参照）又は接合金具により垂下板４６に固定される。前分割体２０は、複数本のアジャスター３１により自立する。
【００５３】
また、図９，１１に示すように、前分割体２０には、２枚の扉６０が開いた時に互いに干渉しないようにするためのコーナーフィラーＦ１が取り付けられている。コーナーフィラーＦ１は、前分割体２０のうち並び方向Ｄ１に沿った前面と並び方向Ｄ２に沿った前面とが交差する位置にあるＬ字状の柱部材であり、扉６０の間口寸を小さくすることで２枚の扉６０が開いた時の干渉を防ぐ。図９には、２枚の扉６０を開いた時の位置を二点鎖線で示している。
【００５４】
コーナーキャビネット１４の後分割体４０は、詳細には示していないが、第二の底板４１、左右の第二の側板４２Ｌ，４２Ｒ、２枚の背板４３、２枚の化粧パネル４４ａ、２枚の前板４４ｂ、水平板４５、２枚の垂下板４６、４箇所の座金４８、複数本のアジャスター５１、及び、２枚の蹴込み板５５を有している。背板４３、化粧パネル４４ａ、前板４４ｂ、垂下板４６、及び、蹴込み板５５には、並び方向Ｄ１に沿って配置された部材と、並び方向Ｄ２に沿って配置された部材とがある。左側の第二の側板４２Ｌは、並び方向Ｄ１に直交するように配置されている。右側の第二の側板４２Ｒは、並び方向Ｄ２に直交するように配置されている。後分割体４０は、上部に前方への延出部４０ａを有する側面視Ｌ字状であり、複数本のアジャスター５１により前分割体２０が取り外されても自立する。
【００５５】
また、図９，１０（ａ）に示すように、後分割体４０には、前分割体２０との間口寸の違いを考慮した第二の扉６２が着脱可能である。扉６０と第二の扉６２は、同じ柄が好ましい。図１０（ａ）に示す扉６２は、平板状の先端片６２ａが平板状の基端片６２ｂに対してコーナーキャビネット用の蝶番６２ｃにより開閉動作可能に連結され、支柱Ｓ１に取り付けられる蝶番６２ｄが基端片６２ｂに取り付けられている。２枚の扉６０と併せて第二の扉６２を使用するために、後分割体４０には、２本の支柱Ｓ１，Ｓ２が取り付けられている。支柱Ｓ１は、開閉動作可能に扉６２を取り付け、また、扉６０を後分割体４０の前面開口４０ｏに位置決めするための部材である。支柱Ｓ２は、扉６２の先端片６２ａと扉６０とを後分割体４０の前面開口４０ｏに位置決めするための部材である。第二の扉６２は、前分割体２０が取り外された前記後分割体４０の前面開口４０ｏのうち前記扉６０により閉じることができない部分である前面開口コーナー部４０ｐを開閉する。
ただ、前分割体２０を使用する場合、第二の扉６２を使用する必要は無い。そこで、後分割体４０における収納空間ＳＰ０の一番奥を扉６２の置き場Ｐ１にすればよい。
【００５６】
前分割体２０を取り外した後分割体４０の前面開口に配置される第二の扉６２は、図１０（ａ）に示すように、基端片６２ｂの蝶番６２ｄが支柱Ｓ１に対して取り外し可能に取り付けられる。図１０（ａ）の左上部に示すように、第二の扉６２が後分割体４０の前面開口を閉じている場合、支柱Ｓ２に当たっている先端片６２ａが蝶番６２ｃを境に基端片６２ｂから直角に折れ曲がった状態となっている。図１０（ａ）の右上部に示すように、先端片６２ａは、基端片６２ｂとのなす角度が小さくなるように蝶番６２ｃを中心として開き動作可能である。さらに、図１０（ａ）の下部に示すように、蝶番６２ｃを介して先端片６２ａに繋がっている基端片６２ｂは、蝶番６２ｄを中心として開き動作可能である。
【００５７】
また、後分割体４０の前面開口に扉６０が配置されることから、第二の扉６２の代わりに、図１０（ｂ）に示すＬ字状のコーナーフィラーＦ２を後分割体４０に取り付けることも可能である。コーナーフィラーＦ２と扉６０とは、同じ柄が好ましい。コーナーフィラーＦ２は、前分割体２０が取り外された前記後分割体４０の前面開口４０ｏのうち前記扉６０により閉じることができない部分である前面開口コーナー部４０ｐを閉じる。車椅子対応時にコーナーフィラーＦ２を使用する場合も、通常時には後分割体４０における収納空間ＳＰ０の一番奥をコーナーフィラーＦ２の置き場Ｐ１にすればよい。
【００５８】
図１１に示すような通常時、コーナーキャビネット１４でも図３に示すように前分割体２０から後分割体４０に連続した収納空間ＳＰ０が形成される。コーナーキャビネット１４の後分割体４０は、前分割体２０が取り外されても自立するので、後分割体４０をコーナーキャビネット１４Ａとして使用することができる。すなわち、後分割体４０から前分割体２０を取り外し、扉６０を前分割体２０から後分割体４０に付け替え、置き場Ｐ１にある第二の扉６２又はコーナーフィラーＦ２も後分割体４０に取り付けると、図１２に示すようにニースペースＳＰ１がコーナーキャビネット１４Ａに形成される。ここで、第二の底板４１の前方にある第一の底板２１が無くなり、後分割体４０の第二の側板４２において前分割体２０の第一の側板２２に合わせられた切欠部４２ｃが開放される。これにより、コーナーキャビネット１４から両並び方向Ｄ１，Ｄ２において複数のキャビネットに跨がって足元から側方まで連続したニースペースＳＰ１が出現する。コーナーキャビネット１４Ａの足元にニースペースＳＰ１があることにより、キャビネット群１１０の設置場所にコーナー部があっても、ユーザーは、車椅子に座った状態でカウンターに近づいて所望の作業を行うことができる。
また、第二の側板４２の切欠部４２ｃによりニースペースＳＰ１が複数のキャビネットに跨がっているので、ユーザーは、隣接するキャビネットへ車椅子でスムーズに移動することができる。従って、車椅子対応時に車椅子で側方へ移動し易い。
【００５９】
尚、図９〜１２ではコーナーキャビネット１４の扉６０を通常時と車椅子対応時とで使用する例を示したが、前分割体２０と後分割体４０の間口寸が異なることから、通常時と車椅子対応時とで別々の扉を使用してもよい。例えば、通常時に前分割体２０の間口寸に合わせた扉を使用し、車椅子対応時に後分割体４０の間口寸に合わせた扉を使用することが可能である。
また、コーナーキャビネット１４についても、車椅子対応時に前分割体２０の蹴込み板３５を流用することにより、後分割体４０から通常時用の蹴込み板５５を無くすことも可能である。ここで、前分割体２０と後分割体４０との間口寸の違いを考慮して車椅子対応時用のコーナーフィラーを用意し、車椅子対応時に蹴込み板３５とともにコーナーフィラーを併用してもよい。
さらに、コーナーキャビネットの場合にも、前分割体は必ずしも自立する必要はない。
【００６０】
（６）結び：
以上説明したように、本発明によると、種々の態様により、車椅子対応時に車椅子で側方へ移動し易くさせるキャビネット等の技術を提供することができる。むろん、独立請求項に係る構成要件のみからなる技術でも、上述した基本的な作用、効果が得られる。
また、上述した例の中で開示した各構成を相互に置換したり組み合わせを変更したりした構成、公知技術及び上述した例の中で開示した各構成を相互に置換したり組み合わせを変更したりした構成、等も実施可能である。本発明は、これらの構成等も含まれる。
【符号の説明】
【００６１】
１０，１０Ａ，１１，１２，１３…キャビネット、
１４，１４Ａ…コーナーキャビネット、
２０…前分割体、２０ｂ…背面開口、２０ｏ…前面開口、
２１…第一の底板、２２，２２Ｌ，２２Ｒ…第一の側板、２５…天井板、２６…垂下板、
２８…座金（第一の扉取付部の例）、
３０…第一の高さ調整手段、３１…アジャスター、３５…蹴込み板、
４０…後分割体、４０ａ…延出部、４０ｂ…本体部、
４０ｏ…前面開口、４０ｐ…前面開口コーナー部、
４１…第二の底板、４２，４２Ｌ，４２Ｒ…第二の側板、４２ｃ…切欠部、４３…背板、
４４…前面部、４４ａ…化粧パネル、４４ｂ…前板、４５…水平板、４６…垂下板、
４８…座金（第二の扉取付部の例）、
５０…第二の高さ調整手段、５１…アジャスター、５５…蹴込み板、５６…溝、
６０，６２…扉、６１，６２ｃ，６２ｄ…蝶番、
１００…システムキッチン、１０１…カウンター、１０２…シンク、
１１０…キャビネット群、
Ｃ１…コーナー部、Ｄ１，Ｄ２…並び方向、
Ｆ１，Ｆ２…コーナーフィラー、Ｐ１…置き場、Ｓ１，Ｓ２…支柱、
ＳＣ１，ＳＣ２…ねじ、
ＳＰ０…収納空間、ＳＰ１…ニースペース。
【図１】
2020065689.tif 000003
【図２】
2020065689.tif 000004
【図３】
2020065689.tif 000005
【図４】
2020065689.tif 000006
【図５】
2020065689.tif 000007
【図６】
2020065689.tif 000008
【図７】
2020065689.tif 000009
【図８】
2020065689.tif 000010
【図９】
2020065689.tif 000011
【図１０】
2020065689.tif 000012
【図１１】
2020065689.tif 000013
【図１２】
2020065689.tif 000014